(57)【要約】【課題】画像投影部から発生する熱により他のデバイスが受ける影響を抑えることができる携帯電子機器を提供することを目的とする。【解決手段】筐体内の温度を計測する温度センサと、画像を投影する画像投影部と、画像投影部が動作を開始したときからの経過時間を計測する時間計測部と、温度に応じて形状が変化するデバイスと、デバイスを制御する制御部と、を有し、制御部は、温度センサによって計測された温度および時間計測部によって計測された経過時間に応じて、温度上昇により形状が変化したデバイスの制御を行う。【選択図】図４
2011010134.tif 000002
【特許請求の範囲】
【請求項１】
筐体と、
前記筐体内の温度を計測する温度センサと、
画像を投影する画像投影部と、
前記画像投影部が動作を開始したときからの経過時間を計測する時間計測部と、
温度に応じて形状が変化するデバイスと、
前記デバイスを制御する制御部と、を有し、
前記制御部は、前記温度センサによって計測された温度および前記時間計測部によって計測された経過時間に応じて、温度上昇により形状が変化した前記デバイスの制御を行うことを特徴とする携帯電子機器。
【請求項２】
前記デバイスは、タッチ型入力デバイスであり、
前記制御部は、前記タッチ型入力デバイスのタッチされた位置を補正する制御を行うことを特徴とする請求項１記載の携帯電子機器。
【請求項３】
温度および経過時間に関連付けられた複数の補正値テーブルを記憶した記憶部を更に有し、
前記制御部は、前記温度センサによって計測された温度および前記時間計測部によって計測された経過時間に関連付けられた補正値テーブルを用いて、前記タッチ型入力デバイスのタッチされた位置を補正する制御を行うことを特徴とする請求項２記載の携帯電子機器。
【請求項４】
前記複数の補正値テーブルの各々は、前記タッチ型入力デバイスのタッチ面の複数の領域にそれぞれ対応する複数の補正値を含み、
前記制御部は、前記温度センサによって計測された温度および前記時間計測部によって計測された経過時間に関連付けられた補正値テーブルの中の前記タッチ型入力デバイスのタッチされた位置に対応する補正値を用いて、前記タッチ型入力デバイスのタッチされた位置を補正する制御を行うことを特徴とする請求項３記載の携帯電子機器。
【請求項５】
前記デバイスは、表示パネルであり、
前記制御部は、前記表示パネルの画像表示位置を補正する制御を行うことを特徴とする請求項１記載の携帯電子機器。
【請求項６】
温度および経過時間に関連付けられた複数の補正値テーブルを記憶した記憶部を更に有し、
前記制御部は、前記温度センサによって計測された温度および前記時間計測部によって計測された経過時間に関連付けられた補正値テーブルを用いて、前記表示パネルの画像表示位置を補正する制御を行うことを特徴とする請求項５記載の携帯電子機器。
【請求項７】
前記複数の補正値テーブルの各々は、前記表示パネルの表示面の複数の領域にそれぞれ対応する複数の補正値を含み、
前記制御部は、前記温度センサによって計測された温度および前記時間計測部によって計測された経過時間に関連付けられた補正値テーブルの中の前記表示パネルの画像表示位置に対応する補正値を用いて、前記表示パネルの画像表示位置を補正する制御を行うことを特徴とする請求項６記載の携帯電子機器。
【請求項８】
筐体と、
前記筐体内の温度を計測する温度センサと、
画像を投影する画像投影部と、
前記画像投影部が動作を開始したときからの経過時間を計測する時間計測部と、
温度に応じて周波数特性が変化するデバイスと、
前記デバイスを制御する制御部と、を有し、
前記制御部は、前記温度センサによって計測された温度および前記時間計測部によって計測された経過時間に応じて、温度上昇により周波数特性が変化した前記デバイスの制御を行うことを特徴とする携帯電子機器。
【請求項９】
前記デバイスは、近接型無線通信回路であり、
前記制御部は、前記近接型無線通信回路の共振周波数の補正を行うことを特徴とする請求項８記載の携帯電子機器。
【請求項１０】
温度および経過時間に関連付けられた複数の補正値を記憶した記憶部を更に有し、
前記制御部は、前記温度センサによって計測された温度および前記時間計測部によって計測された経過時間に関連付けられた補正値を前記記憶部から読み出し、読み出した補正値を用いて、前記近接型無線通信回路の共振周波数の補正を行うことを特徴とする請求項９記載の携帯電子機器。
【請求項１１】
前記デバイスは、ＲＦ送受信回路であり、
温度および経過時間に関連付けられた複数の閾値を記憶した記憶部を更に有し、
前記制御部は、前記温度センサによって計測された温度および前記時間計測部によって計測された経過時間に関連付けられた閾値を前記記憶部から読み出し、前記温度センサによって計測された温度と前記時間計測部によって計測された経過時間に基づいて前記ＲＦ送受信回路の推定温度を算出し、前記ＲＦ送受信回路の推定温度が閾値以上の場合には前記ＲＦ送受信回路の動作を停止させる制御を行うことを特徴とする請求項８記載の携帯電子機器。
【請求項１２】
筐体と、
前記筐体内の温度を計測する温度センサと、
画像を投影する画像投影部と、
前記画像投影部が動作を開始したときからの経過時間を計測する時間計測部と、
温度に応じて化学的特性が変化するデバイスと、
前記デバイスを制御する制御部と、を有し、
前記制御部は、前記温度センサによって計測された温度および前記時間計測部によって計測された経過時間に応じて、温度上昇により化学的特性が変化した前記デバイスの制御を行うことを特徴とする携帯電子機器。
【請求項１３】
前記デバイスは、前記携帯電子機器に電力を供給するバッテリであり、
前記バッテリを充電するバッテリ充電回路と、
温度および経過時間に関連付けられた複数の補正値を記憶した記憶部と、を更に有し、
前記制御部は、前記温度センサによって計測された温度および前記時間計測部によって計測された経過時間に関連付けられた閾値を前記記憶部から読み出し、前記温度センサによって計測された温度が閾値以上の場合には前記バッテリ充電回路に前記バッテリの充電を停止させる制御を行うことを特徴とする請求項１２記載の携帯電子機器。
【請求項１４】
筐体と、
画像を投影する画像投影部と、
温度に応じてコントラストが変化する表示パネルと、
前記表示パネルを制御する制御部と、を有し、
前記制御部は、前記画像投影部が動作している場合には、前記表示パネルに表示する画像のコントラストを向上させる画像を前記画像の周囲に表示する制御を行うことを特徴とする携帯電子機器。
【請求項１５】
筐体と、
前記筐体内の温度を計測する温度センサと、
画像を投影する画像投影部と、
前記画像投影部が動作を開始したときからの経過時間を計測する時間計測部と、
温度に応じてコントラストが変化する表示パネルと、
前記表示パネルを制御する制御部と、を有し、
前記制御部は、前記温度センサによって計測された温度および前記時間計測部によって計測された経過時間に基づいて、前記表示パネルに表示される画像の画像データのガンマ補正を行うことを特徴とする携帯電子機器。
【請求項１６】
前記表示パネルの複数の表示領域に関連付けられており、前記画像投影部が動作している場合に前記複数の表示領域の温度の上昇幅を表す複数の温度上昇幅値、前記画像投影部が動作を開始してからの経過時間に応じて前記複数の温度上昇幅値を補正する計算式、および温度に関連付けられた複数のガンマ補正テーブルを記憶した記憶部を更に有し、
前記制御部は、前記画像投影部が動作している場合には、前記複数の温度上昇幅値および前記計算式を前記記憶部から読み出し、前記温度センサによって計測された温度、前記複数の温度上昇幅値、前記計算式、および前記時間計測部によって計測された経過時間に基づいて、前記表示パネルの前記複数の表示領域の推定温度を算出し、前記表示パネルの複数の表示領域の推定温度に関連付けられたガンマ補正テーブルを前記記憶部から読み出し、読み出したガンマ補正テーブルを用いて、前記表示パネルの複数の表示領域毎に画像データのガンマ補正を行うことを特徴とする請求項１５記載の携帯電子機器。
【請求項１７】
筐体と、
前記筐体内の温度を計測する温度センサと、
画像を投影する画像投影部と、
温度に応じて応答速度が変化する表示パネルと、
前記表示パネルを制御する制御部と、を有し、
前記制御部は、前記温度センサによって計測された温度に応じて、前記画像投影部を動作させることにより、前記表示パネルの応答速度を制御することを特徴とする携帯電子機器。
【請求項１８】
閾値を記憶した記憶部を更に有し、
前記制御部は、閾値を前記記憶部から読み出し、前記温度センサによって計測された温度が閾値以下の場合には前記画像投影部を動作させることにより、前記表示パネルの応答速度を制御することを特徴とする請求項１７記載の携帯電子機器。
【請求項１９】
前記筐体は、相対位置が変化可能な２つ以上の筐体部で構成されており、
前記温度センサは、前記２つ以上の筐体部のうちの１つの筐体部に格納され、当該１つの筐体部内の温度を計測し、
前記画像投影部および前記デバイスは、前記２つ以上の筐体部のうちの他の１つの筐体部に格納されていることを特徴とする請求項１〜１８のいずれか１項に記載の携帯電子機器。
【発明の詳細な説明】
【技術分野】
【０００１】
本発明は、スクリーンや壁面に画像を投影する画像投影部を有する携帯電子機器に関する。
【背景技術】
【０００２】
従来から、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
関連する技術として、下記の特許文献１には、光源からの光を入力信号により光変調す
る液晶パネルと、液晶パネルからの光変調された光を投写して映像を表示する液晶プロジェクタ装置において、液晶プロジェクタ装置内の液晶パネルを除く他の部位における温度を検出する温度センサと、温度センサにより得られる温度検出データを液晶プロジェクタ装置の電源起動時から定常動作時において記憶するメモリーと、メモリーに記憶された温度検出データにより、液晶パネルの温度を推定して液晶パネルの温度を間接的に得る演算手段と、演算手段からの出力信号により、液晶パネルを駆動する駆動電圧を補正して液晶パネルに与える液晶駆動部と、を備えることを特徴とする液晶プロジェクタ装置が記載されている。
【０００４】
また、近年、プロジェクタとして、小型で持ち運びが容易な携帯型のプロジェクタが提案されている。例えば、特許文献２には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。
【先行技術文献】
【特許文献】
【０００５】
【特許文献１】特開２００２−２４４２０２号公報
【特許文献２】特開２００７−９６５４２号公報
【発明の概要】
【発明が解決しようとする課題】
【０００６】
特許文献１に記載された液晶プロジェクタ装置は、プロジェクタ光源からの光を光変調する液晶パネルの温度を推定し、液晶パネルを駆動する駆動電圧を補正するものであり、温度変化が液晶プロジェクタ装置から投写される映像の画質に影響を与えることを防ぐものにすぎず、他の装置等が液晶プロジェクタ装置から発生する熱を受けることに関しては考慮されていない。また、特許文献２に記載されたプロジェクタ機能付携帯端末では、プロジェクタから発生する熱に関しては何ら記載されていない。
【０００７】
本発明は、上記に鑑みてなされたものであって、画像投影部を有する携帯電子機器において、画像投影部から発生する熱により携帯電子機器内の他のデバイスが受ける影響を抑えることができる携帯電子機器を提供することを目的とする。
【課題を解決するための手段】
【０００８】
本発明は、筐体と、前記筐体内の温度を計測する温度センサと、画像を投影する画像投影部と、前記画像投影部が動作を開始したときからの経過時間を計測する時間計測部と、温度に応じて形状が変化するデバイスと、前記デバイスを制御する制御部と、を有し、前記制御部は、前記温度センサによって計測された温度および前記時間計測部によって計測された経過時間に応じて、温度上昇により形状が変化した前記デバイスの制御を行うことを特徴とする。
【０００９】
ここで、前記デバイスは、タッチ型入力デバイスであり、前記制御部は、前記タッチ型入力デバイスのタッチされた位置を補正する制御を行うことが好ましい。
【００１０】
また、温度および経過時間に関連付けられた複数の補正値テーブルを記憶した記憶部を更に有し、前記制御部は、前記温度センサによって計測された温度および前記時間計測部によって計測された経過時間に関連付けられた補正値テーブルを用いて、前記タッチ型入力デバイスのタッチされた位置を補正する制御を行うことが好ましい。
【００１１】
また、前記複数の補正値テーブルの各々は、前記タッチ型入力デバイスのタッチ面の複数の領域にそれぞれ対応する複数の補正値を含み、前記制御部は、前記温度センサによって計測された温度および前記時間計測部によって計測された経過時間に関連付けられた補正値テーブルの中の前記タッチ型入力デバイスのタッチされた位置に対応する補正値を用いて、前記タッチ型入力デバイスのタッチされた位置を補正する制御を行うことが好ましい。
【００１２】
また、前記デバイスは、表示パネルであり、前記制御部は、前記表示パネルの画像表示位置を補正する制御を行うことが好ましい。
【００１３】
また、温度および経過時間に関連付けられた複数の補正値テーブルを記憶した記憶部を更に有し、前記制御部は、前記温度センサによって計測された温度および前記時間計測部によって計測された経過時間に関連付けられた補正値テーブルを用いて、前記表示パネルの画像表示位置を補正する制御を行うことが好ましい。
【００１４】
また、前記複数の補正値テーブルの各々は、前記表示パネルの表示面の複数の領域にそれぞれ対応する複数の補正値を含み、前記制御部は、前記温度センサによって計測された温度および前記時間計測部によって計測された経過時間に関連付けられた補正値テーブルの中の前記表示パネルの画像表示位置に対応する補正値を用いて、前記表示パネルの画像表示位置を補正する制御を行うことが好ましい。
【００１５】
また、本発明は、筐体と、前記筐体内の温度を計測する温度センサと、画像を投影する画像投影部と、前記画像投影部が動作を開始したときからの経過時間を計測する時間計測部と、温度に応じて周波数特性が変化するデバイスと、前記デバイスを制御する制御部と、を有し、前記制御部は、前記温度センサによって計測された温度および前記時間計測部によって計測された経過時間に応じて、温度上昇により周波数特性が変化した前記デバイスの制御を行うことを特徴とする。
【００１６】
ここで、前記デバイスは、近接型無線通信回路であり、前記制御部は、前記近接型無線通信回路の共振周波数の補正を行うことが好ましい。
【００１７】
また、温度および経過時間に関連付けられた複数の補正値を記憶した記憶部を更に有し、前記制御部は、前記温度センサによって計測された温度および前記時間計測部によって計測された経過時間に関連付けられた補正値を前記記憶部から読み出し、読み出した補正値を用いて、前記近接型無線通信回路の共振周波数の補正を行うことが好ましい。
【００１８】
また、前記デバイスは、ＲＦ送受信回路であり、温度および経過時間に関連付けられた複数の閾値を記憶した記憶部を更に有し、前記制御部は、前記温度センサによって計測された温度および前記時間計測部によって計測された経過時間に関連付けられた閾値を前記記憶部から読み出し、前記温度センサによって計測された温度と前記時間計測部によって計測された経過時間に基づいて前記ＲＦ送受信回路の推定温度を算出し、前記ＲＦ送受信回路の推定温度が閾値以上の場合には前記ＲＦ送受信回路の動作を停止させる制御を行うことが好ましい。
【００１９】
また、本発明は、筐体と、前記筐体内の温度を計測する温度センサと、画像を投影する画像投影部と、前記画像投影部が動作を開始したときからの経過時間を計測する時間計測部と、温度に応じて化学的特性が変化するデバイスと、前記デバイスを制御する制御部と、を有し、前記制御部は、前記温度センサによって計測された温度および前記時間計測部によって計測された経過時間に応じて、温度上昇により化学的特性が変化した前記デバイスの制御を行うことを特徴とする。
【００２０】
ここで、前記デバイスは、前記携帯電子機器に電力を供給するバッテリであり、前記バッテリを充電するバッテリ充電回路と、温度および経過時間に関連付けられた複数の補正値を記憶した記憶部と、を更に有し、前記制御部は、前記温度センサによって計測された温度および前記時間計測部によって計測された経過時間に関連付けられた閾値を前記記憶部から読み出し、前記温度センサによって計測された温度が閾値以上の場合には前記バッテリ充電回路に前記バッテリの充電を停止させる制御を行うことが好ましい。
【００２１】
また、本発明は、筐体と、画像を投影する画像投影部と、温度に応じてコントラストが変化する表示パネルと、前記表示パネルを制御する制御部と、を有し、前記制御部は、前記画像投影部が動作している場合には、前記表示パネルに表示する画像のコントラストを向上させる画像を前記画像の周囲に表示する制御を行うことを特徴とする。
【００２２】
また、本発明は、筐体と、前記筐体内の温度を計測する温度センサと、画像を投影する画像投影部と、前記画像投影部が動作を開始したときからの経過時間を計測する時間計測部と、温度に応じてコントラストが変化する表示パネルと、前記表示パネルを制御する制御部と、を有し、前記制御部は、前記温度センサによって計測された温度および前記時間計測部によって計測された経過時間に基づいて、前記表示パネルに表示される画像の画像データのガンマ補正を行うことを特徴とする。
【００２３】
ここで、前記表示パネルの複数の表示領域に関連付けられており、前記画像投影部が動作している場合に前記複数の表示領域の温度の上昇幅を表す複数の温度上昇幅値、前記画像投影部が動作を開始してからの経過時間に応じて前記複数の温度上昇幅値を補正する計算式、および温度に関連付けられた複数のガンマ補正テーブルを記憶した記憶部を更に有し、前記制御部は、前記画像投影部が動作している場合には、前記複数の温度上昇幅値および前記計算式を前記記憶部から読み出し、前記温度センサによって計測された温度、前記複数の温度上昇幅値、前記計算式、および前記時間計測部によって計測された経過時間に基づいて、前記表示パネルの前記複数の表示領域の推定温度を算出し、前記表示パネルの複数の表示領域の推定温度に関連付けられたガンマ補正テーブルを前記記憶部から読み出し、読み出したガンマ補正テーブルを用いて、前記表示パネルの複数の表示領域毎に画像データのガンマ補正を行うことが好ましい。
【００２４】
また、本発明は、筐体と、前記筐体内の温度を計測する温度センサと、画像を投影する画像投影部と、温度に応じて応答速度が変化する表示パネルと、前記表示パネルを制御する制御部と、を有し、前記制御部は、前記温度センサによって計測された温度に応じて、前記画像投影部を動作させることにより、前記表示パネルの応答速度を制御することを特徴とする。
【００２５】
ここで、閾値を記憶した記憶部を更に有し、前記制御部は、閾値を前記記憶部から読み出し、前記温度センサによって計測された温度が閾値以下の場合には前記画像投影部を動作させることにより、前記表示パネルの応答速度を制御することが好ましい。
【００２６】
また、前記筐体は、相対位置が変化可能な２つ以上の筐体部で構成されており、前記温度センサは、前記２つ以上の筐体部のうちの１つの筐体部に格納され、当該１つの筐体部内の温度を計測し、前記画像投影部および前記デバイスは、前記２つ以上の筐体部のうちの他の１つの筐体部に格納されていることが好ましい。
【発明の効果】
【００２７】
本発明にかかる携帯電子機器は、画像投影部から発生する熱により携帯電子機器内の他のデバイスが受ける影響を抑えることができるという効果を奏する。
【図面の簡単な説明】
【００２８】
【図１】図１は、本発明の携帯電子機器の第１の実施形態の概略構成を示す正面図である。
【図２】図２は、図１に示す携帯電子機器の側面図である。
【図３】図３は、図１に示す携帯電子機器の上面図である。
【図４】図４は、図１に示す携帯電子機器の機能の概略構成を示すブロック図である。
【図５】図５は、静電容量方式のタッチパネル４２の駆動原理を示す模式図である。
【図６】図６は、プロジェクタが画像を投影していないときの第１筐体を示す正面図である。
【図７】図７は、プロジェクタが画像を投影していないときのタッチパネルの面形状を示す概念図である。
【図８】図８は、プロジェクタが画像を投影していないときにタッチされた位置の補正を行うための補正値テーブルの一例を示す図である。
【図９】図９は、プロジェクタが画像を投影しているときの第１筐体を示す正面図である。
【図１０】図１０は、プロジェクタが画像を投影しているときのタッチパネルの面形状を示す概念図である。
【図１１】図１１は、プロジェクタが画像を投影しているときにタッチされた位置の補正を行うための補正値テーブルの一例を示す図である。
【図１２】図１２は、携帯電子機器の制御部の処理動作の一例を示すフロー図である。
【図１３】図１３は、本発明の携帯電子機器の第１の実施形態の他の概略構成を示す正面図である。
【図１４】図１４は、図１３に示す携帯電子機器の背面斜視図である。
【図１５】図１５は、プロジェクタが画像を投影しているときの第１筐体を示す正面図である。
【図１６】図１６は、静電容量方式の指紋センサの構造を示す模式図である。
【図１７】図１７は、静電容量方式の指紋センサの指紋検出の原理を示す模式図である。
【図１８】図１８は、静電容量方式の指紋センサの指紋検出の原理を示す模式図である。
【図１９】図１９は、本発明の携帯電子機器の第２の実施形態の機能の概略構成を示すブロック図である。
【図２０】図２０は、本発明の携帯電子機器の第２の実施形態の背面斜視図である。
【図２１】図２１は、クリスタルの温度−周波数特性を示す図である。
【図２２】図２２は、携帯電子機器の制御部の処理動作の一例を示すフロー図である。
【図２３】図２３は、携帯電子機器の制御部の処理動作の一例を示すフロー図である。
【図２４】図２４は、携帯電子機器の制御部の処理動作の一例を示すフロー図である。
【図２５】図２５は、携帯電子機器の制御部の処理動作の一例を示すフロー図である。
【図２６】図２６は、本発明の携帯電子機器の第３の実施形態のプロジェクタが画像を投影しているときの第１筐体を示す正面図である。
【図２７】図２７は、携帯電子機器の制御部の処理動作の一例を示すフロー図である。
【図２８】図２８は、プロジェクタが投影を行っているときのディスプレイの表示面の温度分布を示す模式図である。
【図２９】図２９は、プロジェクタが動作を開始してから或る時間が経過したときのディスプレイの表示面の各部の温度の上昇幅の一例を示す模式図である。
【図３０】図３０は、動作を開始したときから熱平衡状態になるまでのプロジェクタの温度変化を示す図である。
【図３１】図３１は、ガンマ補正曲線の例を示す図である。
【図３２】図３２は、携帯電子機器の制御部の処理動作の一例を示すフロー図である。
【図３３】図３３は、本発明の携帯電子機器の第４の実施形態のプロジェクタが画像を投影しているときの第１筐体を示す正面図である。
【図３４】図３４は、携帯電子機器の制御部の処理動作の一例を示すフロー図である。
【発明を実施するための形態】
【００２９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。また、同一の構成要素には同一の符号を付して、説明を省略する。
【００３０】
（第１の実施形態）
図１は、本発明の携帯電子機器の第１の実施形態の概略構成を示す正面図である。図２は、図１に示す携帯電子機器の側面図であり、図３は、図１に示す携帯電子機器の上面図である。まず、携帯電子機器の構成を説明する。携帯電子機器１０は、無線通信機能を備えた携帯電話機である。携帯電子機器１０は、筐体１１が第１筐体１１ａと第２筐体１１ｂとで開閉可能に構成された、折り畳みタイプの携帯電話機である。なお、図１〜図３は、携帯電子機器１０を開いた状態である。
【００３１】
第１筐体１１ａには、表示部として、図１および図２に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。また、第１筐体１１ａには、タッチパネル４２がディスプレイ１２の前面に重ねて設けられている。さらに、図１に示すように、第１筐体１１ａには、携帯電子機器１０の通話時に音声を発するレシーバ１６が設けられている。
【００３２】
第２筐体１１ｂには、通話相手の電話番号や、メール作成時等に文字を入力するための操作キー１３が複数設けられ、また、ディスプレイ１２に表示されるメニューの選択及び決定や画面のスクロール等を容易に実行するための方向及び決定キー１４が設けられる。なお、操作キー１３及び方向及び決定キー１４は、携帯電子機器１０の操作部２８（図４参照）を構成する。また、第２筐体１１ｂには、携帯電子機器１０の通話時に音声を受け取るマイク１５が設けられる。
【００３３】
また、第１筐体１１ａと第２筐体１１ｂとは、ヒンジ１８で連結されている。これによって、第１筐体１１ａ及び第２筐体１１ｂは、ヒンジ１８を中心としてともに回動して、互いに遠ざかる方向及び互いに接近する方向（図２の矢印Ｒで示す方向）に回動できるように構成される。第１筐体１１ａと第２筐体１１ｂとが互いに遠ざかる方向に回動すると携帯電子機器１０が開き、第１筐体１１ａと第２筐体１１ｂとが互いに接近する方向に回動すると携帯電子機器１０が閉じる。
【００３４】
また、図１〜図３に示すように、第１筐体１１ａの上面（ディスプレイ１２およびタッチパネル４２が設けられている面に直交し、かつヒンジ１８が設けられている側と反対側の面）の中央部には、画像を投影するプロジェクタ３４の光射出部３４ａが設けられている。
【００３５】
図４は、図１に示す携帯電子機器１０の機能の概略構成を示すブロック図である。図４に示すように携帯電子機器１０は、制御部２２と、記憶部２４と、送受信部２６と、操作部２８と、音声処理部３０と、表示部３２と、プロジェクタ３４と、タッチパネル駆動部４０と、温度センサ４４と、時間計測部４６と、充電部４８と、を有する。
【００３６】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００３７】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００３８】
制御部２２は、複数のアプリケーションプログラムを実行する機能を有する。制御部２２が実行するアプリケーションプログラムとしては、例えば、プロジェクタの駆動を制御するアプリケーションプログラム、静止画や動画を再生する画像再生アプリケーションプログラム、各種ゲームを作動させるゲームアプリケーションプログラム等の複数のアプリケーションプログラムがある。
【００３９】
記憶部２４には、制御部２２での処理に利用されるソフトウェアやデータが保存されており、上述した、プロジェクタの駆動を制御するアプリケーションプログラムを作動させるタスクや、静止画や動画を再生する画像再生アプリケーションプログラムを作動させるタスク、各種ゲームアプリケーションプログラムを作動させるタスクが保存されている。
【００４０】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、タッチパネル４２のタッチされた位置の補正に用いる補正値を含む補正値テーブル（後述）、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００４１】
送受信部２６は、アンテナ２６ａを有し、基地局によって割り当てられるチャネルを介し、基地局との間でＣＤＭＡ方式などによるＲＦ無線信号回線を確立し、基地局との間で電話通信及び情報通信を行う。
【００４２】
操作部２８は、例えば、電源キー、通話キー、数字キー、文字キー、方向キー、決定キー、発信キーなど、各種の機能が割り当てられた操作キー１３と方向及び決定キー１４とで構成され、これらのキーがユーザの操作により入力されると、その操作内容に対応する信号を発生させる。そして、発生した信号は、ユーザの指示として制御部２２へ入力される。
【００４３】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００４４】
表示部３２は、液晶ディスプレイ（ＬＣＤ：Liquid Crystal Display）や、有機ＥＬ（Organic Electro-Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００４５】
プロジェクタ３４は、画像を投影する画像投影機構であり、上述したように、筐体１１の上面に画像を投影する光射出部３４ａが設けられている。携帯電子機器１０は、プロジェクタ３４の光射出部３４ａから画像を投影する、つまり画像を構成する光を射出することで、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００４６】
プロジェクタ３４は、光源と、画像データに応じて、光源から射出された光を投影するか否かを切り換える光学系とで構成されている。例えば、プロジェクタ３４には、ハロゲンライトや、ＬＥＤ光源、ＬＤ光源を光源とし、ＬＣＤ（Liquid Crystal Display）や、ＤＭＤ（Digital Micro-mirror Device）を光学系とした構成のプロジェクタを用いることができる。この場合は、光学系を各画素に対応して投影領域の全面に配置し、光源から射出された光を画像に合わせて光学系をオンオフさせることで画像を投影領域の全面に投影させることができる。また、プロジェクタ３４には、レーザ光を光源とし、光源から射出された光を透過させるか否かを切り換える切り換え素子と、切り換え素子を通過した光をラスター走査させるミラーとで構成される光学系とした構成のプロジェクタを用いることもできる。この場合は、ミラーによってレーザ光から射出された光の角度を変えて、投影領域の全面に光源から照射された光を走査させることで、投影領域に画像を投影させることができる。
【００４７】
タッチパネル駆動部４０は、タッチパネル４２を駆動する。タッチパネル４２として、例えば、静電容量方式のタッチパネルを用いることができる。図５は、静電容量方式のタッチパネル４２の駆動原理を示す模式図である。タッチパネル駆動部４０は、４個の交流電源４０ａ〜４０ｄを含んでおり、交流電源４０ａ〜４０ｄは、抵抗ｒ１〜ｒ４を介して、タッチパネル４２の四隅にそれぞれ接続されている。タッチパネル４２には、ＩＴＯ（Indium Tin Oxide）等の多数の透明電極が形成されており、交流電源４０ａ〜４０ｄが同相同電位の交流電圧をタッチパネル４２に印加することで、タッチパネル４２の表面に均一の電界が形成される。そして、タッチパネル４２の表面に指、タッチペン等がタッチされると、タッチパネル４２の四隅からタッチされた位置までの距離に比例して静電容量が変化し、抵抗ｒ１〜ｒ４に流れる電流値ｉ１〜ｉ４が変化する。制御部２２は、抵抗ｒ１〜ｒ４に流れる電流値ｉ１〜ｉ４の比率を計測することで、タッチされた位置を算出することができる。
【００４８】
なお、図１および図２に示すように、ディスプレイ１２、プロジェクタ３４、およびタッチパネル４２は、第１筐体１１ａに格納されている。そして、プロジェクタ３４は、画像の投影を行うと熱を発する。そのため、ディスプレイ１２、およびタッチパネル４２は、プロジェクタ３４において発生する熱の影響を受ける。なお、熱の影響としては、タッチパネル４２を構成するガラスやフィルムの伸縮、変形や、静電容量の変化が考えられる。
【００４９】
図６は、プロジェクタ３４が画像を投影していないときの第１筐体１１ａを示す正面図である。プロジェクタ３４が動作していないときには、プロジェクタ３４において熱が発生しないので、タッチパネル４２の温度は均一となる。
【００５０】
図７は、プロジェクタ３４が画像を投影していないときのタッチパネル４２の面形状を示す概念図である。領域４２ａは、タッチパネル４２が動作していないとき（タッチパネル駆動部４０からタッチパネル４２に電流が供給されていないとき）の外縁を示しており、領域４２ｂは、タッチパネル４２が動作しているとき（タッチパネル駆動部４０からタッチパネル４２に電流が供給されているとき）の外縁を示している。タッチパネル４２が動作しているときには、タッチパネル駆動部４０から供給される電流の影響等により、タッチパネル４２は若干膨張する。そのため、図７に示すように、制御部２２は、図７中の点Ｐ１がタッチされた位置である場合に、点Ｐ２にタッチされたと認識してしまうので、タッチされた位置を点Ｐ１に補正する。
【００５１】
図８は、プロジェクタ３４が画像を投影していないときにタッチされた位置の補正を行うための補正値テーブルの一例を示す図である。この補正値テーブルは、記憶部２４（図４参照）に記憶されている。本実施形態においては、タッチパネル４２のタッチ面を５行５列の２５個の仮想的な領域に分割し、補正値テーブルは、２５個の領域にそれぞれ対応する２５組のｘ座標補正値およびｙ座標補正値を含んでいる。本実施形態においては、タッチパネル４２のタッチ面の中央の領域（第３行第３列）では、ｘ座標補正値およびｙ座標補正値はゼロ（補正なし）となっている。また、タッチパネル４２のタッチ面の端部に近い領域ほど、ｘ座標補正値およびｙ座標補正値が大きくなっている。例えば、タッチパネル４２のタッチ面の左上隅の領域（第１行第１列）では、ｘ座標補正値およびｙ座標補正値は「−２」（ｘ−２、ｙ−２）となっている。
【００５２】
図９は、プロジェクタ３４が画像を投影しているときの第１筐体１１ａを示す正面図である。プロジェクタ３４が画像を投影しているときには、プロジェクタ３４において熱が発生するので、タッチパネル４２の温度は均一ではなくなる。すなわち、図９に示すように、タッチパネル４２のプロジェクタ３４から近い部分（図９中の上方且つ左右方向の中央）の温度が高く、タッチパネル４２のプロジェクタ３４から遠い部分の温度が低くなる。
【００５３】
図１０は、プロジェクタ３４が画像を投影しているときのタッチパネル４２の面形状を示す概念図である。領域４２ｃは、プロジェクタ３４が画像を投影しているときのタッチパネル４２の外縁を示している。図１０に示すように、プロジェクタ３４が画像を投影しているときには、プロジェクタ３４において発生する熱により、タッチパネル４２は、プロジェクタ３４が動作していないときよりも大きく変形する。特に、タッチパネル４２のプロジェクタ３４から近い部分（図１０中の上方部分）は、タッチパネル４２のプロジェクタ３４から遠い部分（図１０中の下方部分）よりも大きく膨張する。そのため、制御部２２は、図１０中の点Ｐ３がタッチされた位置である場合に、点Ｐ４にタッチされたと認識してしまうので、タッチされた位置を点Ｐ３に補正する。
【００５４】
なお、プロジェクタ３４において発生する熱はプロジェクタ３４が動作を開始したときからの経過時間に応じて変化するので、タッチパネル４２の形状は、プロジェクタ３４が動作を開始したときからの経過時間に応じて変化する。
【００５５】
図１１は、プロジェクタ３４が画像を投影しているときにタッチされた位置の補正を行うための補正値テーブルの一例を示す図である。この補正値テーブルは、記憶部２４に記憶されている。補正値テーブルは、２５個の領域にそれぞれ対応するｘ座標補正値およびｙ座標補正値を含んでいる。本実施形態においては、タッチパネル４２のタッチ面の中央の領域（第３行第３列）では、ｘ座標補正値およびｙ座標補正値はゼロ（補正なし）となっている。また、タッチパネル４２のタッチ面のプロジェクタ３４に近い領域ほど、ｘ座標補正値およびｙ座標補正値が大きくなっている。例えば、タッチパネル４２のタッチ面の左上隅の領域（第１行第１列）では、ｘ座標補正値およびｙ座標補正値は「−６」（ｘ−６、ｙ−６）となっている。
【００５６】
なお、プロジェクタ３４が画像を投影しているときにタッチされた位置の補正を行うための補正値テーブルは、温度センサ４４によって計測された温度およびプロジェクタ３４が動作を開始したときからの経過時間に関連付けて複数用意され、記憶部２４に記憶されている。
【００５７】
また、本実施形態においては、タッチパネル４２のタッチ面を５行５列の２５個の領域に分割し、補正値テーブルが２５個の領域にそれぞれ対応する２５組のｘ座標補正値およびｙ座標補正値を含むこととしているが、タッチパネル４２のタッチ面をより多い領域またはより少ない領域に分割するようにしても良い。
【００５８】
再び図４を参照すると、温度センサ４４は、第２筐体１１ｂ内のバッテリＢ（図２参照）の近傍に格納されており、第２筐体１１ｂ内の温度を計測する。一般に、バッテリは、高温時に充電されると、充電容量が低下したり発熱したりする可能性がある。そのようなことを防止するため、一般に、携帯電子機器において、バッテリの近傍に温度センサを設け、所定温度以上の場合にはバッテリの充電を行わないようにすることが多い。そこで、本実施形態においても、第２筐体１１ｂ内のバッテリＢの近傍に温度センサ４４を設け、制御部２２は、温度センサ４４によって計測された温度が所定温度以上の場合には、バッテリＢの充電を行わないように充電部４８を制御する。
【００５９】
時間計測部４６は、プロジェクタ３４が画像の動作を開始したときからの経過時間を計測する。制御部２２は、温度センサ４４によって計測された温度および時間計測部４６によって計測された経過時間に応じて、プロジェクタ３４において発生する熱による温度上昇により面形状が変化したタッチパネル４２の制御を行う。
携帯電子機器１０は、基本的に以上のような構成である。
【００６０】
次に、図１２を用いて携帯電子機器１０の動作、具体的には、制御部２２の処理動作について説明する。図１２は、携帯電子機器１０の制御部２２の処理動作の一例を示すフロー図である。
【００６１】
制御部２２は、ステップＳ１２として、タッチパネル４２が操作（タッチ）されたかを判定する。制御部２２は、ステップＳ１２でタッチパネル４２が操作（タッチ）されていない（Ｎｏ）と判定したら、ステップＳ１２で待機する。
【００６２】
制御部２２は、ステップＳ１２でタッチパネル４２が操作（タッチ）された（Ｙｅｓ）と判定したら、ステップＳ１４として、温度を温度センサ４４から取得する。
【００６３】
次に、制御部２２は、ステップＳ１６として、プロジェクタ３４が投影中であるかを判定する。
【００６４】
制御部２２は、ステップＳ１６でプロジェクタ３４が投影中ではない（Ｎｏ）と判定したら、ステップＳ１８として、プロジェクタ３４の非投影時補正を実行する。つまり、制御部２２は、図８に示すプロジェクタ３４の非投影時の補正値テーブルの中のタッチパネル４２のタッチされた位置に対応する補正値を記憶部２４から読み出して、タッチされた位置を補正する。
【００６５】
一方、制御部２２は、ステップＳ１６でプロジェクタ３４が投影中である（Ｙｅｓ）と判定したら、ステップＳ２０として、プロジェクタ３４が動作を開始したときからの経過時間を時間計測部４６から取得する。そして、制御部２２は、ステップＳ２２として、プロジェクタ３４の投影時補正を実行する。つまり、制御部２２は、温度センサ４４によって計測された温度および時間計測部４６によって計測された経過時間に関連付けられた補正値テーブルの中のタッチパネル４２のタッチされた位置に対応する補正値を記憶部２４から読み出し、読み出した補正値を用いて、タッチされた位置を補正する。
【００６６】
そして、制御部２２は、ステップＳ２４として、ステップＳ１８またはステップＳ２２で補正された位置をタッチされた位置として決定する。制御部２２は、その後処理を終了する。
【００６７】
以上のような構成とすることで、温度センサ４４によって計測された温度および時間計測部４６によって計測された経過時間に応じて、タッチパネル４２のタッチされた位置を補正することができる。これにより、プロジェクタ３４において発生する熱でタッチパネル４２の形状が変化しても、その変化に応じてタッチされた位置を補正することができる。
【００６８】
なお、本実施形態においては、プロジェクタ３４が第１筐体１１ａの上面の中央部に設けられている場合について説明したが、プロジェクタ３４の位置は特に限定されない。図１３は、本実施形態の他の概略構成を示す正面図である。図１３に示すように、プロジェクタ３４が第１筐体１１ａの上面の右側に設けられても良い。図１４は、この場合の携帯電子機器１０の背面斜視図である。このようにプロジェクタ３４が第１筐体１１ａの上面の右側に設けられた場合、図１５に示すように、タッチパネル４２のタッチ面の右上部の温度が最も高くなり、左下部の温度が最も低くなる。そこで、図８および図１１に示した補正値テーブルと同様に、図１５に示すタッチパネル４２のタッチ面の温度分布に応じた複数の補正値テーブルを記憶部２４に記憶しておき、温度センサ４４によって計測された温度および時間計測部４６によって計測された経過時間に応じて、タッチパネル４２のタッチ面上のタッチされた位置を補正すれば良い。
【００６９】
また、本実施形態においては、タッチ型入力デバイスとしてタッチパネル４２を用いた場合について説明したが、タッチ型入力デバイスはこれに限定されず、他のタッチ型入力デバイス、例えば、指紋センサ等を用いることも可能である。図１６は、静電容量方式の指紋センサの構造を示す模式図である。静電容量方式の指紋センサでは、複数のコンデンサＣがアレイ状に配列され、その上に保護膜Ｍが載置されている。
【００７０】
図１７は、静電容量方式の指紋センサの指紋検出の原理を示す模式図である。コンデンサＣ１〜Ｃ５の保護膜Ｍと反対側の面（図中下方の面）には、電極Ｅ１〜Ｅ５がそれぞれ設けられている。指Ｆが保護膜Ｍに押し当てられると、指Ｆの表面上の凹凸（指紋）に応じて、コンデンサＣ１〜Ｃ５の静電容量が変化する。つまり、指Ｆの表面とコンデンサＣとの間の距離が近いと静電容量が大きくなり、コンデンサＣにチャージされる電荷が多くなる。一方、指Ｆの表面とコンデンサＣとの間の距離が遠いと静電容量が小さくなり、コンデンサＣにチャージされる電荷が少なくなる。図１７に示すように、指ＦとコンデンサＣ１との間の距離は近いので、コンデンサＣ１の静電容量は大きくなり、コンデンサＣ１にチャージされる電荷は多くなる。一方、指ＦとコンデンサＣ２との間の距離は遠いので、コンデンサＣ２の静電容量は小さくなり、コンデンサＣ２にチャージされる電荷は少なくなる。制御部２２は、コンデンサＣ１〜Ｃ５にチャージされた電荷を検出することで、指Ｆの凹凸を検出することができる。
【００７１】
このような指紋センサがプロジェクタ３４において発生した熱で膨張すると、図１８に示すように、指Ｆの凹凸のピッチとコンデンサＣ１〜Ｃ５のピッチとがずれて、指Ｆの凹凸を適切に検出することが出来ないことになる。そこで、図８および図１１に示した補正値テーブルと同様に、複数の補正値テーブルを記憶部２４に記憶しておき、温度センサ４４によって計測された温度および時間計測部４６によって計測された経過時間に応じて、指Ｆの凹凸の位置を補正することで、指Ｆの凹凸を適切に検出することが可能である。これにより、プロジェクタ３４において発生する熱で指紋センサの形状が変化しても、その変化に応じて指Ｆの凹凸を検出することができる。
【００７２】
また、本実施形態においては、プロジェクタ３４において発生した熱によりタッチパネル４２が膨張する場合について説明したが、プロジェクタ３４において発生した熱によりディスプレイ１２が膨張する場合にも適用可能である。すなわち、図８および図１１に示した補正値テーブルと同様に、ディスプレイ１２の画像表示位置を補正する複数の補正値テーブルを記憶部２４に記憶しておき、温度センサ４４によって計測された温度および時間計測部４６によって計測された経過時間に応じて、画像表示位置を補正すれば良い。これにより、プロジェクタ３４において発生する熱でディスプレイ１２の形状が変化しても、その変化に応じて画像表示位置を補正することができる。
【００７３】
また、携帯電子機器１０は、ヒンジ１８を軸として第１筐体１１ａと第２筐体１１ｂとが回動する折り畳みタイプの筐体としたが、筐体は、少なくとも２つ以上の筐体部に分かれ、相対的に移動及び／または回転可能で、変形する筐体であれば形状は特に限定されない。なお、複数の筐体部は、ヒンジや、レールにより、機械的に連結され、分離不可能な構成である。
【００７４】
（第２の実施形態）
次に、本発明の第２の実施形態について説明する。図１９は、本実施形態にかかる携帯電子機器の機能の概略構成を示すブロック図である。図１９に示すように携帯電子機器５０は、制御部２２と、記憶部２４と、送受信部２６と、操作部２８と、音声処理部３０と、表示部３２と、プロジェクタ３４と、タッチパネル駆動部４０と、温度センサ４４と、時間計測部４６と、充電部４８と、近接型無線通信部５２と、を有する。図２０は、携帯電子機器５０の背面斜視図である。図２０に示すように、近接型無線通信部５２は、第１筐体１１ａの背面部に格納されている。
【００７５】
近接型無線通信部５２は、例えば、ＪＩＳＸ６３１９−４で利用可能なＦｅｌｉＣａ（登録商標）等のＩＣチップ、アンテナ、発振回路等を含んでおり、例えば、１３．５６ＭＨｚの周波数帯を用いて近接型無線通信を行う。近接型無線通信の共振周波数（発振周波数）は、温度依存性を有する。図２１は、クリスタルの温度−周波数特性を示す図である。発振に用いられるクリスタル（水晶発振器）は、図２１に示すように、３次関数状の温度−周波数特性を有する。そのため、図２０に示すように、プロジェクタ３４と近接型無線通信部５２との距離が近いと、プロジェクタ３４において発生する熱の影響により、近接型無線通信部５２の共振周波数が変化し、近接型無線通信が行えなくなる可能性がある。
【００７６】
なお、プロジェクタ３４において発生する熱はプロジェクタ３４が動作を開始したときからの経過時間に応じて変化するので、近接型無線通信部５２の共振周波数の変化量は、プロジェクタ３４が動作を開始したときからの経過時間に応じて変化する。
【００７７】
そこで、本実施形態においては、近接型無線通信部５２内の発振回路に可変容量ダイオードと、可変容量ダイオードに印加する電圧を制御するＤ／Ａコンバータを設ける。可変容量ダイオードに印加される電圧が上がると、可変容量ダイオードの容量は下がり、共振周波数は高くなる。さらに、複数の補正値を記憶部２４に記憶しておき、温度センサ４４によって計測された温度および時間計測部４６によって計測された経過時間に応じてＤ／Ａコンバータに入力するディジタル値を補正することにより、可変容量ダイオードに印加する電圧を補正する。これにより、近接型無線通信部５２の共振周波数を近接型無線通信が行える範囲に制御することができる。
【００７８】
次に、図２２を用いて携帯電子機器５０の動作、具体的には、制御部２２の処理動作について説明する。図２２は、携帯電子機器５０の制御部２２の処理動作の一例を示すフロー図である。
【００７９】
制御部２２は、ステップＳ３２として、近接型無線通信部５２の動作要求があるかを判定する。制御部２２は、ステップＳ３２で近接型無線通信部５２の動作要求がない（Ｎｏ）と判定したら、ステップＳ３２で待機する。
【００８０】
制御部２２は、ステップＳ３２で近接型無線通信部５２の動作要求がある（Ｙｅｓ）と判定したら、ステップＳ３４として、温度を温度センサ４４から取得する。
【００８１】
次に、制御部２２は、ステップＳ３６として、プロジェクタ３４が投影中であるかを判定する。
【００８２】
制御部２２は、ステップＳ３６でプロジェクタ３４が投影中ではない（Ｎｏ）と判定したら、ステップＳ３８として、プロジェクタ３４の非投影時補正を実行する。つまり、制御部２２は、記憶部２４に記憶されているプロジェクタ３４の非投影時の補正値を記憶部２４から読み出して、Ｄ／Ａコンバータに入力するディジタル値を補正する。
【００８３】
一方、制御部２２は、ステップＳ３６でプロジェクタ３４が投影中である（Ｙｅｓ）と判定したら、ステップＳ４０として、プロジェクタ３４が動作を開始したときからの経過時間を時間計測部４６から取得する。そして、制御部２２は、ステップＳ４２として、プロジェクタ３４の投影時補正を実行する。つまり、制御部２２は、温度センサ４４によって計測された温度および時間計測部４６によって計測された経過時間に関連付けられた補正値を記憶部２４から読み出し、読み出した補正値を用いて、Ｄ／Ａコンバータに入力するディジタル値を補正する。
【００８４】
そして、制御部２２は、ステップＳ４４として、近接型無線通信部５２の設定値を決定する。すなわち、制御部２２は、ステップＳ３８またはステップＳ４２で補正されたディジタル値をＤ／Ａコンバータの入力値として決定する。制御部２２は、その後処理を終了する。
【００８５】
以上のような構成とすることで、温度センサ４４によって計測された温度および時間計測部４６によって計測された経過時間に応じて、Ｄ／Ａコンバータに入力するディジタル値を補正することができる。これにより、プロジェクタ３４において発生する熱で近接型無線通信部５２の温度が変化しても、その変化に応じて共振周波数を補正し、近接型無線通信を行うことができる。
【００８６】
また、送受信部２６のアンテナ２６ａ（図１９参照）は、動作保証温度を超える温度で使用すると故障を招く可能性がある。そこで、本実施形態においては、複数の温度閾値を記憶部２４に記憶しておき、温度センサ４４によって計測された温度および時間計測部４６によって計測された経過時間に応じて送受信部２６を動作させるか否かを判定する。これにより、アンテナ２６ａを保護することができる。
【００８７】
次に、図２３を用いて携帯電子機器５０の動作、具体的には、制御部２２の処理動作について説明する。図２３は、携帯電子機器５０の制御部２２の処理動作の一例を示すフロー図である。
【００８８】
制御部２２は、ステップＳ５２として、送受信部２６の動作要求があるかを判定する。制御部２２は、ステップＳ５２で送受信部２６の動作要求がない（Ｎｏ）と判定したら、ステップＳ５２で待機する。
【００８９】
制御部２２は、ステップＳ５２で送受信部２６の動作要求がある（Ｙｅｓ）と判定したら、ステップＳ５４として、温度を温度センサ４４から取得する。
【００９０】
次に、制御部２２は、ステップＳ５６として、プロジェクタ３４が投影中であるかを判定する。
【００９１】
制御部２２は、ステップＳ５６でプロジェクタ３４が投影中ではない（Ｎｏ）と判定したら、ステップＳ５８として、プロジェクタ３４の非投影時の温度閾値（例えば、８７°Ｃ等）を読み出す。
【００９２】
一方、制御部２２は、ステップＳ５６でプロジェクタ３４が投影中である（Ｙｅｓ）と判定したら、ステップＳ６０として、プロジェクタ３４が動作を開始したときからの経過時間を時間計測部４６から取得する。そして、制御部２２は、ステップＳ６２として、プロジェクタ３４の投影時の温度閾値（例えば、９０°Ｃ等）を読み出す。つまり、制御部２２は、温度センサ４４によって計測された温度および時間計測部４６によって計測された経過時間に関連付けられた温度閾値を記憶部２４から読み出す。
【００９３】
そして、制御部２２は、ステップＳ６４として、送受信部２６が送受信可能であるかを判定する。すなわち、制御部２２は、温度センサ４４によって計測された温度と時間計測部４６によって計測された経過時間に基づいて、送受信部２６の推定温度を算出する。そして、制御部２２は、送受信部２６の推定温度とステップＳ５８またはステップＳ６２で記憶部２４から読み出した温度閾値とを比較して、送受信部２６が送受信可能であるかを判定する。つまり、制御部２２は、送受信部２６の推定温度がステップＳ５８またはステップＳ６２で記憶部２４から読み出した温度閾値以下である場合には、送受信部２６が送受信可能であると判定し、送受信部２６の推定温度がステップＳ５８またはステップＳ６２で記憶部２４から読み出した温度閾値以下ではない場合には、送受信部２６が送受信可能ではないと判定する。
なお、上記推定温度は、例えば予めなされた実験により、求められる。具体的には、温度センサ４４にて検出される温度並びに送受信部２６における実際の温度を計測し、これら温度と経過時間との相関関係を求め、この相関関係のデータに基づき、送受信部２６の温度を推定するようにしても良い。
【００９４】
制御部２２は、ステップＳ６４で送受信部２６が送受信可能である（Ｙｅｓ）と判定したら、ステップＳ６６として、送受信部２６に送受信を実行させる。制御部２２は、その後処理を実行する。
【００９５】
一方、制御部２２は、ステップＳ６６で送受信部２６が送受信可能ではない（Ｎｏ）と判定したら、送受信部２６に送受信を実行させずに、処理を終了する。なお、このとき、制御部２２が、送受信部２６のパワーアンプを停止させても良い。
【００９６】
以上のような構成とすることで、温度センサ４４によって計測された温度および時間計測部４６によって計測された経過時間に応じて、送受信部２６が送受信可能かを判定する温度閾値を変えることができる。これにより、プロジェクタ３４において発生する熱でアンテナ２６ａが動作保証温度を超える温度時に送受信が実行されることを防ぎ、アンテナ２６ａを保護することができる。
【００９７】
また、バッテリＢ（図２参照）は、高温時に充電されると、充電容量が低下したり発熱したりする可能性がある。そこで、本実施形態においては、複数の温度閾値を記憶部２４に記憶しておき、温度センサ４４によって計測された温度および時間計測部４６によって計測された経過時間に応じて充電部４８（図１９参照）を動作させるか否かを判定する。これにより、バッテリＢを保護することができる。
【００９８】
次に、図２４を用いて携帯電子機器５０の動作、具体的には、制御部２２の処理動作について説明する。図２４は、携帯電子機器５０の制御部２２の処理動作の一例を示すフロー図である。
【００９９】
制御部２２は、ステップＳ７２として、充電要求があるかを判定する。制御部２２は、ステップＳ７２で充電要求がない（Ｎｏ）と判定したら、ステップＳ７２で待機する。
【０１００】
制御部２２は、ステップＳ７２で充電要求がある（Ｙｅｓ）と判定したら、ステップＳ７４として、温度を温度センサ４４から取得する。
【０１０１】
次に、制御部２２は、ステップＳ７６として、プロジェクタ３４が投影中であるかを判定する。
【０１０２】
制御部２２は、ステップＳ７６でプロジェクタ３４が投影中ではない（Ｎｏ）と判定したら、ステップＳ７８として、プロジェクタ３４の非投影時の温度閾値（例えば、４０°Ｃ等）を読み出す。
【０１０３】
一方、制御部２２は、ステップＳ７６でプロジェクタ３４が投影中である（Ｙｅｓ）と判定したら、ステップＳ８０として、プロジェクタ３４が動作を開始したときからの経過時間を時間計測部４６から取得する。そして、制御部２２は、ステップＳ８２として、プロジェクタ３４の投影時の温度閾値（例えば、３８°Ｃ等）を読み出す。つまり、制御部２２は、温度センサ４４によって計測された温度および時間計測部４６によって計測された経過時間に関連付けられた温度閾値を記憶部２４から読み出す。
【０１０４】
そして、制御部２２は、ステップＳ８４として、充電が可能であるかを判定する。すなわち、制御部２２は、温度センサ４４によって計測された温度とステップＳ７８またはステップＳ８２で記憶部２４から読み出した温度閾値とを比較して、充電が可能であるかを判定する。つまり、制御部２２は、温度センサ４４によって計測された温度がステップＳ５８またはステップＳ６２で記憶部２４から読み出した温度閾値以下である場合には、充電が可能であると判定し、温度センサ４４によって計測された温度がステップＳ５８またはステップＳ６２で記憶部２４から読み出した温度閾値以下ではない場合には、充電が可能ではないと判定する。
【０１０５】
制御部２２は、ステップＳ８４で充電が可能ではない（Ｎｏ）と判定したら、処理を終了する。
【０１０６】
一方、制御部２２は、ステップＳ８４で充電が可能である（Ｙｅｓ）と判定したら、充電が完了したかを判定する。
【０１０７】
制御部２２は、ステップＳ８６で充電が完了した（Ｙｅｓ）と判定したら、処理を終了する。
【０１０８】
一方、制御部２２は、ステップＳ８８で充電が完了していない（Ｎｏ）と判定したら、充電部４８に充電を実行または継続させ、処理をステップＳ７４に戻す。
【０１０９】
以上のような構成とすることで、温度センサ４４によって計測された温度および時間計測部４６によって計測された経過時間に応じて、充電が可能か否かを判定する温度閾値を変えることができる。これにより、プロジェクタ３４において発生する熱でバッテリＢが高温時に充電が実行されることを防ぎ、バッテリＢを保護することができる。
【０１１０】
なお、第１の実施形態のタッチパネル４２の制御処理（図１２参照）、本実施形態の近接型無線通信部５２の制御処理（図２２参照）、送受信部２６の制御処理（図２３参照）、および充電部４８の制御処理（図２４参照）を続けて実行するようにしても良い。図２５は、これらの制御処理を続けて実行する場合のフロー図である。図２５のステップＳ９０がタッチパネル４２の制御処理（図１２参照）に対応し、ステップＳ９２が近接型無線通信部５２の制御処理（図２２参照）に対応し、ステップＳ９４が送受信部２６の制御処理（図２３参照）に対応し、ステップＳ９６が充電部４８の制御処理（図２４参照）に対応する。
【０１１１】
（第３の実施形態）
次に、本発明の第３の実施形態について説明する。本実施形態にかかる携帯電子機器の機能の概略構成のブロック図は、第１の実施形態にかかる携帯電子機器のブロック図（図４参照）や、第２の実施形態にかかる携帯電子機器のブロック図（図１９参照）と同様である。
【０１１２】
ディスプレイ１２は、プロジェクタ３４において発生する熱の影響により温度が上昇すると、その表示面の一部または全部が変色し、表示画像のコントラストが低下する可能性がある。そこで、本実施形態においては、温度センサ４４によって計測された温度および時間計測部４６によって計測された経過時間に応じて、表示画像の周囲に表示画像のコントラストを向上させる画像（背景画像）を表示する。図２６は、プロジェクタ３４が画像を投影しているときの第１筐体１１ａを示す正面図である。図２６に示すように、時刻を表す画像の周囲にその画像のコントラストを向上させる画像（背景画像）６０を表示し、ニュースのフラッシュスクロール画像の周囲にその画像のコントラストを向上させる画像（背景画像）６２を表示する。これにより、表示画像の視認性を向上させることができる。なお、ニュースの情報は、送受信部２６により取得可能である。
【０１１３】
次に、図２７を用いて本実施形態にかかる携帯電子機器の動作、具体的には、制御部２２の処理動作について説明する。図２７は、本実施形態にかかる携帯電子機器の制御部２２の処理動作の一例を示すフロー図である。
【０１１４】
制御部２２は、ステップＳ１０２として、ディスプレイ１２に表示する画像の更新要求があるかを判定する。制御部２２は、ステップＳ１０２で画像の更新要求がない（Ｎｏ）と判定したら、ステップＳ１０２で待機する。
【０１１５】
制御部２２は、ステップＳ１０２でディスプレイ１２に表示する画像の更新要求がある（Ｙｅｓ）と判定したら、ステップＳ１０４として、温度を温度センサ４４から取得する。
【０１１６】
次に、制御部２２は、ステップＳ１０６として、プロジェクタ３４が投影中であるかを判定する。
【０１１７】
制御部２２は、ステップＳ１０６でプロジェクタ３４が投影中ではない（Ｎｏ）と判定したら、ステップＳ１１０として、ディスプレイ１２に表示する画像を更新し、処理を終了する。
【０１１８】
一方、制御部２２は、ステップＳ１０６でプロジェクタ３４が投影中である（Ｙｅｓ）と判定したら、ステップＳ１０８として、ディスプレイ１２に表示する画像（更新画像）の周囲の画像（背景画像）を、ディスプレイ１２に表示する画像（更新画像）のコントラストを向上させる画像に変更する。そして、制御部２２は、ステップＳ１１０として、ディスプレイ１２に表示する画像を更新し、処理を終了する。
【０１１９】
以上のような構成とすることで、温度センサ４４によって計測された温度および時間計測部４６によって計測された経過時間に応じて、ディスプレイ１２に表示する画像（更新画像）の周囲の画像（背景画像）を変更することができる。これにより、プロジェクタ３４において発生する熱でディスプレイ１２の温度が変化しても、ディスプレイ１２に表示する画像（更新画像）の視認性を向上させることができる。
【０１２０】
また、ディスプレイ１２の表示面の温度分布は、プロジェクタ３４が投影を行っているか否かにより異なる。図２８は、プロジェクタ３４が投影を行っているときのディスプレイ１２の表示面の温度分布を示す模式図である。
【０１２１】
図２９は、プロジェクタ３４が動作を開始してから或る時間が経過したときのディスプレイ１２の表示面の各部の温度の上昇幅の一例を示す模式図である。図２９に示すように、ディスプレイ１２の図中上方の中央付近の領域１２ａの温度は２５°Ｃ程度上昇し、領域１２ａの図中下方の領域１２ｂの温度は１５°Ｃ程度上昇し、領域１２ｂの図中下方の領域１２ｃの温度は１０°Ｃ程度上昇し、領域１２ｃの図中下方の領域１２ｄの温度は５°Ｃ程度上昇する。これら４つの温度の上昇幅の数値（以下、「温度上昇幅値」ともいう。）は、記憶部２４に記憶されている。
【０１２２】
図３０は、動作を開始したときから熱平衡状態になるまでのプロジェクタ３４の温度変化を示す図である。プロジェクタ３４の温度変化は、一般に、図３０に示すような対数関数のグラフに類似した曲線となる。また、ディスプレイ１２の温度変化も、プロジェクタ３４の温度変化と同様に、対数関数のグラフに類似した曲線となる。そこで、ディスプレイ１２の実際の温度上昇を予め測定し、プロジェクタ３４が動作を開始してからの経過時間に応じて温度上昇幅値を補正する計算式を最小二乗法などで近似して作成し記憶部２４に記憶しておき、その計算式およびプロジェクタ３４が動作を開始してからの経過時間に基づいて温度上昇幅値を補正する。そして、補正後の温度上昇幅値を温度センサ４４で測定された温度に加算することにより、プロジェクタ３４が動作を開始したときからの経過時間に応じて、ディスプレイ１２の領域１２ａ〜１２ｄの推定温度を算出することができる。
【０１２３】
携帯電子機器の正面表示（メインディスプレイ）に広く使用されているＴＦＴ液晶パネルは、一般に、温度が上がると、コントラストが低くなる傾向があり、背面表示（サブディスプレイ）に広く使用されているＳＴＮ液晶パネルは、一般に、温度が上がるとコントラストが高くなる傾向がある。そこで、本実施形態においては、温度に関連付けて複数のガンマ補正値テーブルをあらかじめ記憶部２４に記憶しておき、プロジェクタ３４の投影状態に応じて、ディスプレイ１２に表示される画像の画像データにガンマ補正を行う。
【０１２４】
図３１は、ガンマ補正曲線の例を示す図である。図３１においては、ディスプレイ１２の温度が０°Ｃ以下の場合のガンマ補正曲線、ディスプレイ１２の温度が０°Ｃ〜２０°Ｃの場合のガンマ補正曲線、ディスプレイ１２の温度が２０°Ｃ〜４０°Ｃの場合のガンマ補正曲線、ディスプレイ１２の温度が４０°Ｃ〜６０°Ｃの場合のガンマ補正曲線、およびディスプレイ１２の温度が６０°Ｃ以上の場合のガンマ補正曲線を示している。これら５つのガンマ補正曲線を表す５つのガンマ補正値テーブルは、記憶部２４に記憶されている。
【０１２５】
次に、図３２を用いて本実施形態にかかる携帯電子機器の動作、具体的には、制御部２２の処理動作について説明する。図３２は、本実施形態にかかる携帯電子機器の制御部２２の処理動作の一例を示すフロー図である。
【０１２６】
制御部２２は、ステップＳ１２２として、ディスプレイ１２に表示する画像の更新要求があるかを判定する。制御部２２は、ステップＳ１２２で画像の更新要求がない（Ｎｏ）と判定したら、ステップＳ１２２で待機する。
【０１２７】
制御部２２は、ステップＳ１２２でディスプレイ１２に表示する画像の更新要求がある（Ｙｅｓ）と判定したら、ステップＳ１２４として、温度を温度センサ４４から取得する。
【０１２８】
次に、制御部２２は、ステップＳ１２６として、プロジェクタ３４が投影中であるかを判定する。
【０１２９】
制御部２２は、ステップＳ１２６でプロジェクタ３４が投影中ではない（Ｎｏ）と判定したら、ステップＳ１２８として、プロジェクタ３４の非投影時のガンマ補正を実行する。プロジェクタ３４の非投影時には、ディスプレイ１２の温度分布は一様であると考えられるので、制御部２２は、ステップＳ１２４で温度センサ４４から取得した温度に関連付けられたガンマ補正値テーブルを記憶部２４から読み出して、ディスプレイ１２の表示画面に表示される画像データの全てにガンマ補正を実行する。
【０１３０】
一方、制御部２２は、ステップＳ１２６でプロジェクタ３４が投影中である（Ｙｅｓ）と判定したら、ステップＳ１３０として、ディスプレイ１２の領域１２ａ〜１２ｄの各々の温度上昇幅値を記憶部２４から読み出す。
【０１３１】
次に、制御部２２は、ステップＳ１３２として、プロジェクタ３４の投影開始からの経過時間に基づいて、ディスプレイ１２の領域１２ａ〜１２ｄの推定温度を算出する。すなわち、制御部２２は、プロジェクタ３４の投影開始からの経過時間を時間計測部４６から取得し、最小二乗法などで近似した温度上昇幅値を補正する計算式を記憶部２４から読み出し、その計算式およびプロジェクタ３４が動作を開始してからの経過時間に基づいて、温度上昇幅値を補正する。そして、制御部２２は、補正後の温度上昇幅値を温度センサ４４で測定された温度に加算して、ディスプレイ１２の領域１２ａ〜１２ｄの推定温度を算出する。
【０１３２】
そして、制御部２２は、ステップＳ１３４として、プロジェクタ３４の投影時のガンマ補正を実行する。つまり、制御部２２は、ステップＳ１３２で算出したディスプレイ１２の領域１２ａ〜１２ｄの推定温度に関連付けられたガンマ補正テーブルを記憶部２４から読み出して、ディスプレイ１２の４つの領域１２ａ〜１２ｄ毎に画像データのガンマ補正を実行する。
【０１３３】
そして、制御部２２は、ステップＳ１３６として、ステップＳ１２８またはステップＳ１３４でガンマ補正された後の画像データに基づいて、ディスプレイ１２に表示される画像を更新する。制御部２２は、その後処理を終了する。
【０１３４】
以上のような構成とすることで、温度センサ４４によって計測された温度および時間計測部４６によって計測された経過時間に応じて、ディスプレイ１２の各領域の入力画素値にガンマ補正を実行することができる。これにより、プロジェクタ３４において発生する熱の影響によりディスプレイ１２の各領域の温度が異なる場合であっても、適切なガンマ補正を実行して、美しい画像を表示することができる。
【０１３５】
（第４の実施形態）
次に、本発明の第４の実施形態について説明する。本実施形態にかかる携帯電子機器の機能の概略構成のブロック図は、第１の実施形態にかかる携帯電子機器のブロック図（図４参照）や、第２の実施形態にかかる携帯電子機器のブロック図（図１９参照）と同様である。
【０１３６】
液晶パネル等の表示パネルは、一般に、温度が低いと応答速度が低下する。図３３は、プロジェクタ３４が画像を投影しているときの第１筐体１１ａを示す正面図である。図３３に示すように、ディスプレイ１２に時刻やニュースの画像を表示する場合に、温度が低くディスプレイ１２の応答速度が遅いと、画像の動きや変化が緩慢になる。そこで、本実施形態においては、温度が低くディスプレイ１２の応答速度が遅い場合に、プロジェクタ３４を動作させて、プロジェクタ３４において発生する熱によりディスプレイ１２の温度を上昇させ、ディスプレイ１２の応答速度を速くし、画像の動きや変化を敏捷にする。すなわち、本実施形態は、画像投影部を有する携帯電子機器において、画像投影部から発生する熱を携帯電子機器内の他のデバイスにおいて利用することができる携帯電子機器を提供することを目的とする。
【０１３７】
次に、図３４を用いて本実施形態にかかる携帯電子機器の動作、具体的には、制御部２２の処理動作について説明する。図３４は、本実施形態にかかる携帯電子機器の制御部２２の処理動作の一例を示すフロー図である。
【０１３８】
制御部２２は、ステップＳ１４２として、ディスプレイ１２に表示する画像の更新要求があるかを判定する。制御部２２は、ステップＳ１４２で画像の更新要求がない（Ｎｏ）と判定したら、ステップＳ１４２で待機する。
【０１３９】
制御部２２は、ステップＳ１４２でディスプレイ１２に表示する画像の更新要求がある（Ｙｅｓ）と判定したら、ステップＳ１４４として、温度を温度センサ４４から取得する。
【０１４０】
次に、制御部２２は、ステップＳ１４６として、ステップＳ１４４で温度センサ４４から取得した温度が閾値以下であるかを判定する。
【０１４１】
制御部２２は、ステップＳ１４６で温度センサ４４から取得した温度が閾値以下ではない（Ｎｏ）と判定したら、ステップＳ１４８として、ディスプレイ１２に表示する画像を更新し、処理を終了する。
【０１４２】
一方、制御部２２は、ステップＳ１４６で温度センサ４４から取得した温度が閾値以下である（Ｙｅｓ）と判定したら、ステップＳ１５０として、プロジェクタ３４が動作中であるかを判定する。制御部２２は、ステップＳ１５０でプロジェクタ３４が動作中である（Ｙｅｓ）と判定したら、ステップＳ１４８として、ディスプレイ１２に表示する画像を更新し、処理を終了する。
【０１４３】
また、制御部２２は、ステップＳ１５０でプロジェクタ３４が動作中ではない（Ｎｏ）と判定したら、ステップＳ１５２として、プロジェクタ３４を動作させる。このとき、制御部２２が、プロジェクタ３４に黒色を投影させるように動作させたり、光学系をオフさせて光射出部３４ａから光が出射しないように動作させたりすると好適である。
【０１４４】
次に、制御部２２は、ステップＳ１５４として、ディスプレイ１２に表示する画像を更新する。
【０１４５】
次に、制御部２２は、ステップＳ１５６として、待機する。なお、待機する時間は、予め定められた時間であっても良い。また、温度センサ４４によって計測された温度が所定の温度になるまで待機するようにしても良い。
【０１４６】
その後、制御部２２は、ステップＳ１５８として、プロジェクタ３４の動作を停止させ、処理を終了する。
【０１４７】
以上のような構成とすることで、プロジェクタ３４において発生する熱を積極的に利用して、温度が低くディスプレイ１２の応答速度が遅い場合に、プロジェクタ３４を動作させて、プロジェクタ３４において発生する熱によりディスプレイ１２の温度を上昇させ、ディスプレイ１２の応答速度を速くし、画像の動きや変化を敏捷にすることができる。
【産業上の利用可能性】
【０１４８】
以上のように、本発明にかかる携帯電子機器は、壁面やスクリーンに画像を投影する携帯型の装置として用いることに適している。
【符号の説明】
【０１４９】
１０、５０  携帯電子機器
１１  筐体
１１ａ  第１筐体
１１ｂ  第２筐体
１２  ディスプレイ
１３  操作キー
１４  方向及び決定キー
１５  マイク
１６  レシーバ
１８  ヒンジ
２２  制御部
２４  記憶部
２６  送受信部
２６ａ  アンテナ
２８  操作部
３０  音声処理部
３２  表示部
３４  プロジェクタ
３４ａ  光射出部
４０  タッチパネル駆動部
４０ａ、４０ｂ、４０ｃ、４０ｄ  交流電源
４２  タッチパネル
４４  温度センサ
４６  時間計測部
４８  充電部
５２  近接型無線通信部
６０、６２  背景画像
Ｂ  バッテリ
Ｃ、Ｃ１、Ｃ２、Ｃ３、Ｃ４、Ｃ５  コンデンサ
Ｍ  保護膜
ｒ１、ｒ２、ｒ３、ｒ４  抵抗
【図１】
2011010134.tif 000003
【図２】
2011010134.tif 000004
【図３】
2011010134.tif 000005
【図４】
2011010134.tif 000006
【図５】
2011010134.tif 000007
【図６】
2011010134.tif 000008
【図７】
2011010134.tif 000009
【図８】
2011010134.tif 000010
【図９】
2011010134.tif 000011
【図１０】
2011010134.tif 000012
【図１１】
2011010134.tif 000013
【図１２】
2011010134.tif 000014
【図１３】
2011010134.tif 000015
【図１４】
2011010134.tif 000016
【図１５】
2011010134.tif 000017
【図１６】
2011010134.tif 000018
【図１７】
2011010134.tif 000019
【図１８】
2011010134.tif 000020
【図１９】
2011010134.tif 000021
【図２０】
2011010134.tif 000022
【図２１】
2011010134.tif 000023
【図２２】
2011010134.tif 000024
【図２３】
2011010134.tif 000025
【図２４】
2011010134.tif 000026
【図２５】
2011010134.tif 000027
【図２６】
2011010134.tif 000028
【図２７】
2011010134.tif 000029
【図２８】
2011010134.tif 000030
【図２９】
2011010134.tif 000031
【図３０】
2011010134.tif 000032
【図３１】
2011010134.tif 000033
【図３２】
2011010134.tif 000034
【図３３】
2011010134.tif 000035
【図３４】
2011010134.tif 000036